(57)【特許請求の範囲】
【請求項１】
少なくともいずれか一方の手で保持する保持部と、
インピーダンス測定用電極を備え、
いずれかのインピーダンス測定用電極を前記保持部に設け、
測定されたインピーダンスに基づいて健康管理に有益な指針情報を提供する健康管理指針アドバイス装置であって、
保持された前記保持部の傾斜角度を検出する角度検出手段を備えた健康管理指針アドバイス装置。
【請求項２】
前記保持部は前記健康管理指針アドバイス装置本体に対して別体に設けられている請求項１記載の健康管理指針アドバイス装置。
【請求項３】
前記角度検出手段によって検出された角度を記憶する記憶手段を備えた請求項１又は２記載の健康管理指針アドバイス装置。
【請求項４】
前記角度検出手段によって検出された角度と前記記憶手段に記憶された角度を比較する角度比較手段と、
前記角度比較手段による比較結果を報知する報知手段を備えた請求項３記載の健康管理指針アドバイス装置。
【請求項５】
前記報知手段は音声によって報知する手段である請求項４記載の健康管理指針アドバイス装置。
【請求項６】
前記報知手段は情報を視覚的に表示して報知する手段である請求項４又は５記載の健康管理指針アドバイス装置。
【請求項７】
前記記憶手段に記憶させるべき前記保持部の角度情報の取得を指示する取得指示手段を所定の保持姿勢における手の位置又はその近傍に配置した請求項３記載の健康管理指針アドバイス装置。
【請求項８】
前記角度検出手段によって検出された角度と前記記憶手段に記憶された角度を比較する角度比較手段を備え、
前記角度比較手段による比較結果に基づいてインピーダンス測定を開始する請求項３記載の健康管理指針アドバイス装置。
【請求項９】
少なくともいずれか一方の手で保持する保持部と、
インピーダンス測定用電極を備え、
いずれかのインピーダンス測定用電極を前記保持部に設け、
測定されたインピーダンスに基づいて健康管理に有益な指針情報を提供する健康管理指針アドバイス装置であって、
重りを内蔵し、重りの移動量に基づいて歩数を計数する歩数計数装置と、
前記歩数計数装置が着脱可能に装着される装着部を備え、
前記装着部に前記歩数計数装置が装着された状態で、前記歩数計数装置に内蔵された重りの移動量に基づいて前記保持部の傾斜角度を算出する傾斜角度検出手段を前記歩数計数装置及び健康管理指針アドバイス装置本体の少なくともいずれかに設けた健康管理指針アドバイス装置。
【請求項１０】
前記インピーダンス測定から健康管理に有益な指針情報の提供に至る処理のうちの少なくともいずれかの処理を行う処理手段を前記歩数計数装置に設けた請求項９記載の健康管理指針アドバイス装置。
【請求項１１】
前記保持部の角度と所定の角度とを比較する角度比較手段を備えた請求項９又は１０記載の健康管理指針アドバイス装置。
【請求項１２】
前記角度比較手段による比較結果を報知する報知手段を備えた請求項１１記載の健康管理指針アドバイス装置。
【請求項１３】
前記報知手段は音声によって報知する手段である請求項１２記載の健康管理指針アドバイス装置。
【請求項１４】
前記報知手段は情報を視覚的に表示して報知する手段である請求項１２又は１３記載の健康管理指針アドバイス装置。
【請求項１５】
被検者の身体的特性を特定する身体特定化情報を入力する身体特定化情報入力手段と、
前記入力された身体特定化情報を保持する身体特定化情報保持手段を備え、
前記身体特定化情報保持手段を前記歩数計数装置に設けた請求項９乃至１４のいずれかに記載の健康管理指針アドバイス装置。
【発明の詳細な説明】
【０００１】
【発明の属する技術分野】
本発明は、インピーダンス測定に基づき体脂肪率等の健康管理に有益な指針情報を提供する体脂肪計等の健康管理指針アドバイス装置に関する。
【０００２】
【従来の技術】
従来、この種の健康管理指針アドバイス装置としては、グリップ部にインピーダンス測定用の電極を備えた体脂肪計２０１のように被検者が手で持って測定を行う体脂肪計があった。
【０００３】
【発明が解決しようとする課題】
しかしながら、上記のような従来技術の場合には、図２２に示すように、両手でグリップ部２０３，２０４を握り、両腕と胴体とのなす角度がほぼ９０度となるように両腕をまっすぐ前に伸ばして体脂肪計２０１を保持した姿勢で測定することが望ましいとされ、取扱説明書等によってそのように指導がなされていた。このような測定姿勢が要求される場合には、測定時に腕が下がると腋に腕が接触し身体に印加された電流の経路が変わってしまい、測定値に影響が生じる可能性があった。
【０００４】
また、図２２のように両腕をまっすぐ前方に伸ばした姿勢をとっていたとしても、図２３に示すように親指をグリップ部２０４の軸方向に伸ばし、グリップ部を傾けた状態で握ると、図２４に示すように親指をしっかりグリップ部２０４にまわして、グリップ部の軸を鉛直方向にして握る場合に比べて電極表面と掌との接触面積が変化してしまうので、同様に測定値に影響が生じる可能性があった。
【０００５】
このように測定時の被検者の姿勢が変化すると、測定値に影響が生じる可能性があったため、ダイエットを目的として長期にわたって体脂肪の測定を継続的に行う場合においては、確実に一定の姿勢で測定ができるようにすることが望まれていた。
【０００６】
本発明は上記の従来技術の課題を解決するためになされたもので、その目的とするところは、測定時に被検者が常時同じ姿勢となるようにして測定姿勢の安定化を図り測定精度の高い健康管理指針アドバイス装置を提供することにある。
【０００７】
【課題を解決するための手段】
上記目的を達成するために本発明は、少なくともいずれか一方の手で保持する保持部と、インピーダンス測定用電極を備え、いずれかのインピーダンス測定用電極を前記保持部に設け、測定されたインピーダンスに基づいて健康管理に有益な指針情報を提供する健康管理指針アドバイス装置であって、保持された前記保持部の傾斜角度を検出する角度検出手段を備える。
【０００８】
また、前記保持部は前記健康管理指針アドバイス装置本体に対して別体に設けられているようにしてもよい。
【０００９】
また、前記角度検出手段によって検出された角度を記憶する記憶手段を備えるようにしてもよい。
【００１０】
また、前記角度検出手段によって検出された角度と前記記憶手段に記憶された角度を比較する角度比較手段と、前記角度比較手段による比較結果を報知する報知手段を備えるようにしてもよい。
【００１１】
また、前記報知手段は音声によって報知する手段であってもよい。
【００１２】
また、前記報知手段は情報を視覚的に表示して報知する手段であってもよい。
【００１３】
また、前記記憶手段に記憶させるべき前記保持部の角度情報の取得を指示する取得指示手段を所定の保持姿勢における手の位置又はその近傍に配置してもよい。
【００１４】
また、前記角度検出手段によって検出された角度と前記記憶手段に記憶された角度を比較する角度比較手段を備え、前記角度比較手段による比較結果に基づいてインピーダンス測定を開始するようにしてもよい。
【００１５】
本発明は、重りを内蔵し、重りの移動量に基づいて歩数を計数する歩数計数装置と、前記歩数計数装置が着脱可能に装着される装着部を備え、前記装着部に前記歩数計数装置が装着された状態で、前記歩数計数装置に内蔵された重りの移動量に基づいて前記保持部の傾斜角度を算出する傾斜角度検出手段を前記歩数計数装置及び健康管理指針アドバイス装置本体の少なくともいずれかに設けた健康管理指針アドバイス装置。
【００１６】
保持部の傾斜角度の算出は歩数計数装置内で行ってもよいし、装着部に装着した状態で健康管理指針アドバイス装置本体内で行ってもよい。
【００１７】
また、前記インピーダンス測定から健康管理に有益な指針情報の提供に至る処理のうちの少なくともいずれかの処理を行う処理手段を前記歩数計数装置に設けてもよい。
【００１８】
また、前記保持部の角度と所定の角度とを比較する角度比較手段を備えるようにしてもよい。
【００１９】
また、前記角度比較手段による比較結果を報知する報知手段を備えるようにしてもよい。
【００２０】
また、前記報知手段は音声によって報知する手段であってもよい。
【００２１】
また、前記報知手段は情報を視覚的に表示して報知する手段であってもよい。
【００２２】
また、被検者の身体的特性を特定する身体特定化情報を入力する身体特定化情報入力手段と、前記入力された身体特定化情報を保持する身体特定化情報保持手段を備え、前記身体特定化情報保持手段を前記歩数計数装置に設けるようにしてもよい。
【００２３】
【発明の実施の形態】
以下に図面を参照して、この発明の好適な実施の形態を説明する。
（第１の実施形態）
図１は、本発明の第１の実施形態に係る体脂肪計の全体構成を示す外観図である。
【００２４】
体脂肪計１の筐体は略直方体をなす。体脂肪計１の長手方向両側端部には円柱形状のグリップ部（保持部）２，３が設けられている。グリップ部２，３の表面にはそれぞれ電流印加用電極４，５及び電圧測定用電極６，７が設けられている。体脂肪計１の正面の上方には、設定値，想定経過あるいは測定結果を表示するＬＣＤパネルの表示部８が設けられている。体脂肪計の正面の表示部下方には、スイッチ類が配置されている。スイッチ類は、呼出スイッチ９，期間スイッチ１０，記録スイッチ１１，電源スイッチ１２，設定スイッチ１３，加算スイッチ１４，減算スイッチ１５及び測定開始スイッチ１６からなる。また、体脂肪計１の正面の右側上縁には姿勢記録スイッチ１７が、左側上縁には測定開始スイッチ１８がそれぞれ設けられている。ここでは、インピーダンス測定用電極は、電流印加用電極４，５及び電圧測定用電極６，７から構成される。
【００２５】
図２は、体脂肪計の内部構成の概略を示すブロック図である。
プログラムを記憶したＲＯＭ，データを記憶するＲＡＭ（記憶手段）９，測定，演算処理を行うＣＰＵを備えた測定・演算制御部２０には、電源部２１が電源スイッチ２２を介して接続され、さらに電流印加用電極４，５，電圧測定用電極６，７，センサ部２３，測定開始スイッチ１６，１８，入力部２４，ブザー（報知手段）２５及び表示部（報知手段）８がそれぞれ接続されている。入力部２４は、呼出スイッチ９，期間スイッチ１０，記録スイッチ１１，設定スイッチ１３，加算スイッチ１４，減算スイッチ１５及び姿勢記録スイッチ（取得指示手段）１７からなる。ここで、測定・演算制御部２０が角度比較手段を構成する。
【００２６】
体脂肪計１では、左右のグリップ部２，３に設けられた電流印加用電極４，５から被検者の身体に高周波電流を印加し、印加された電流によって生じる身体抵抗電位を左右のグリップ部２，３に設けられた電圧測定用電極６，７によって測定する。このようにして、印加された電流及び身体抵抗電位から身体インピーダンスを測定し、予め入力された身長，体重，年齢，性別等の身体特定化情報と前記身体インピーダンスとから体脂肪率，体脂肪量，除脂肪量，筋肉量，体水分量，肥満度等を算出する。
【００２７】
図３（ａ）は体脂肪計１の縦断面図、図３（ｂ）は一部破断背面図、図３（ｃ）は同横断面図である。
ＬＣＤパネル３０等が取り付けられている基板３１の裏面にセンサ３２及びブザー２５が取り付けられている。センサは図３のように基板に平行に配置されている場合に限らず、図４（ａ），（ｂ），（ｃ）に示すようにＬＣＤパネルが取り付けられた基板に直交するセンサ基板３３にセンサ３２を取り付けるようにしてもよい。また、複数のセンサを異なる方向に配置してもよい。図３及び図４に示されているセンサ３２上の矢印は、後述する可動電極の移動方向を示す。
【００２８】
図５はセンサ３２の概略構成を模式的に示す図である。
センサ３２は、概略、弾性変形部４１〜４４を介してハウジング４５に長手方向両端部を支持され、重り４６，４７が取り付けられた２本のビーム４８，４９と２本のビームの中央部に架設された可動電極５０と可動電極５０を挟む２つの固定電極５１，５２とからなる。センサ３２に（図上）左方向加速度及び右方向加速度が加わった状態を図６（ａ），（ｂ）にそれぞれ示す。まず、センサ３２を含むセンサ部２３が傾斜したり加速度を生じたりすると、その傾斜角度あるいはセンサ部２３に生じる加速度の大きさに応じて重り４６，４７がセンサ部２３内を移動する。弾性変形部４１＝４４が弾性変形するので、重り４６，４７は２本のビーム４８，４９とともに移動し、可動電極５０も移動する。可動電極５０が移動すると２つの固定電極５１，５２と可動電極５０との距離が変化する。センサ３２では、単位時間当たりの静電容量変化から加速度を算出し、あるいは静電容量の値そのものから傾斜角度を算出する。センサ部２３では、このようにしてセンサ３２によって検出された加速度あるいは傾斜角度を、測定・演算制御部２０に出力する。
【００２９】
図７は、予め姿勢調整のための角度が設定されている場合の体脂肪計による測定手順を示すフローチャートである。
まず、電源スイッチがオンとなるのを待機する（ステップ１）。次に、身長，体重，年齢，性別等の身体特定化情報の各項目を入力し（ステップ２）、全項目が入力されるのを待機する（ステップ３）。設定スイッチ１３によって各身体特定化情報の項目を選択し、加算スイッチ１４又は減算スイッチ１５によって数値を設定する。また、記録スイッチ１１によって測定された体脂肪率等を記録することができ、個人データを加算スイッチ１４等で選択した後に呼出スイッチ９によって記録された体脂肪率等のデータを表示することができる。また期間スイッチ１０を押すことにより７日前等の過去の体脂肪率等のデータを表示し現在のデータと比較することができる。
【００３０】
次に、センサ３２によって体脂肪計１の本体の傾斜角度を検知し（ステップ４）、被検者の姿勢の調整を促す報知を行う（ステップ５）。体脂肪計１の現在の角度と設定角度とが一致するか否かを判定する（ステップ６）。体脂肪計１の現在の角度と設定角度が一致しない場合にはステップ５に戻り、一致する場合には測定を開始する（ステップ７）。測定終了を待って（ステップ８）、体脂肪率及び体脂肪量等の測定結果の表示を行う（ステップ９）。測定結果の表示から１分経過した後（ステップ１０）、測定手順を終了する。
【００３１】
ステップ７において、角度調整の完了によって自動的に測定を開始するようにしてもよいし、角度調整の完了後の測定開始スイッチ１６又は１８の押下によって測定を開始するようにしてもよい。
【００３２】
上述の測定処理においては、体脂肪計１本体又はグリップ部２，３が水平に保たれた状態の角度が設定角度となっている。このように体脂肪計１本体又はグリップ部２，３が水平に保たれた状態でグリップ部２，３を握れば、電極部と掌との接触状態を常に一定に保持することができる。従って、測定姿勢が安定化し、測定精度を向上させることができる。姿勢調整のための設定角度は、上述のような水平の場合に限られず、適宜設定することもできる。
【００３３】
図８は、被検者が自ら姿勢調整のための角度を設定する場合の測定手順を示すフローチャートである。
まず、電源スイッチ１２がオンとなるのを待機する（ステップ１１）。次に、身長，体重，年齢，性別等の身体特定化情報の各項目を入力し（ステップ１２）、全項目が入力されるのを待機する（ステップ１３）。
【００３４】
次に、初めての測定であるか否か（すなわち測定記録が記憶されているか否か）を判定する（ステップ１４）。
初めての測定である場合には、表示部８に正しい測定姿勢の説明を表示する（ステップ１５）。このとき、「姿勢登録ボタンを押して、正しい測定姿勢をとってください。」との表示を行い、測定姿勢の設定方法を案内する（ステップ１５）。
【００３５】
次に、姿勢登録ボタン１７の押下によって、体脂肪計１の角度計測を開始する（ステップ１６，１７）。姿勢調整状態の間はその旨を表示し（ステップ１８）、正しい測定になるのを待つ（ステップ１９）。正しい測定姿勢となったときに再び姿勢登録ボタン１７を押下する（ステップ２０）。
【００３６】
姿勢登録ボタン１７の押下に応答して押下時の姿勢情報（角度情報）を記録し（ステップ２１）、ステップ２３に進む。
ステップ１４で測定記録がメモリされていれば、設定済みの姿勢情報を呼び出す（ステップ２２）。
【００３７】
次に、センサ３２によって体脂肪計１の本体の傾斜角度の検知を行う（ステップ２３）。傾斜角度の検知を行っている間に姿勢調整を促す旨の報知及び姿勢調整状態の表示を表示部８等において行う（ステップ２４）。
【００３８】
次に、体脂肪計１の現在の角度と設定角度とが一致するか否かを判定する（ステップ２５）。体脂肪計１の現在の角度と設定角度が一致しない場合にはステップ２４に戻り、一致する場合には測定を開始する（ステップ２６）。
【００３９】
図９は、体脂肪計１の表示部８の姿勢調整状態における表示を示す。「正しい測定姿勢をとってください」とのメッセージを表示するとともに、バーを構成する全てのブロックが点灯するように測定姿勢を調整し、バーが全点灯した瞬間に親指近くの測定開始ボタン１６，１８を押して、測定を開始する。測定中はそのまま正しい測定姿勢を保っておく。図１０も同様に体脂肪計１の表示部８の姿勢調整中の表示である。体脂肪計１本体の左右の傾きに応じて表示されるドットが左右に移動し、手前方向または奥方向の傾きに応じてドットが上下に移動する。ドットが円内に入るように姿勢を調整し、円内にドットが入っているときに自動的に測定が開始されるか又は測定開始ボタン１６，１８を押下することにより、測定を開始する。また、正しい測定姿勢になっていない場合はブザーが「ピッピッピッ」と鳴り続け、正しい測定姿勢になると「ピーッ」と鳴って報知するようにしてもよい。測定開始ボタン１６，１８を押した後に、「正しい測定姿勢をとって下さい。」と音声で報知し、正しい測定姿勢が実現されると「測定を開始します。そのままの姿勢で動かないで下さい。」と報知するようにしてもよい。
【００４０】
測定終了を待って（ステップ２７）、体脂肪率及び体脂肪量等の測定結果の表示を行う（ステップ２８）。測定結果の表示から１分経過した後（ステップ２９）、測定手順を終了する。
【００４１】
このように被検者が正しい測定姿勢の範囲内で好みの測定姿勢を設定登録しておくことにより、次回の測定から被検者が設定された姿勢となるように調整するので、測定姿勢が安定化し、測定精度を向上させることができる。
【００４２】
（第２の実施形態）
図１１には、第２の実施形態に係る体脂肪計６１が示されている。図１１に示すように体脂肪計６１は、グリップ部（保持部）６２，基台部６３及びこれらを接続するケーブル６４からなる。略円柱形状のグリップ６２部には軸方向に電流印加用電極６５，電圧測定用電極６６及びスイッチ６７が設けられ、基台部６３の表面には左右にそれぞれ電流印加用電極６８，６９と電圧測定用電極７０，７１とが配置されている。
【００４３】
図１２に示すように、被検者は一つのグリップ部６２をいずれか一方の手で握り、基台部６３上に載り、左右の足の裏をそれぞれ基台部６３表面に設けられた電流印加用電極６８，６９及び電圧測定用電極７０，７１に接触させる。
【００４４】
基台部６３に設けられた４つの電極６８〜７１はそれぞれ電気的に独立している。グリップ部６２及び基台部６３の電極間の接続状態は切替可能であり、グリップ部６２の電流印加用電極６５及び電圧測定用電極６６と、基台部６３の左側又は右側の電流印加用電極６８，６９及び電圧測定用電極７０，７１のうちからいずれか一組（４つ）の電流印加用電極６８（６９）及び電圧測定用電極７０（７１）を選択することができる。選択された２つの電流印加用電極間に高周波電流を印加し、選択された電圧測定用電極によって印加電流による身体抵抗電位を測定することにより、異なる電流経路における身体インピーダンスの測定及び体脂肪率等の算出を行うことができるようになっている。ここでは、インピーダンス測定用電極は、電流印加用電極６５，電圧測定用電極６６並びに電流印加用電極６８，６９及び電圧測定用電極７０，７１から構成される。
【００４５】
図１３（ａ）はグリップ部６２の側面図、図１３（ｂ）はグリップ部６２の軸方向断面図である。体脂肪計  ６１のグリップ部６２には基板７２の裏面に基板７２に平行に第１の実施形態で説明したセンサ３２を取り付けている。このように構成することにより、本実施形態においても測定時の姿勢を安定化させ、測定精度の向上を図ることができる。
【００４６】
（第３の実施形態）
図１４は本発明の第３の実施形態に係る歩数計付き体脂肪計８１の全体構成を示す正面図である。図１５（ａ）は歩数計部（歩数計数装置）８２の全体構成を示す正面図、図１５（ｂ）は同側面図である。図１６（ａ）は体脂肪計部８３の全体構成を示す正面図、図１６（ｂ）は同平面図である。
【００４７】
図１５に示すように歩数計部８２は扁平な略直方体のカード形状をなす。歩数計部８２の前面の上方やや左寄りにＬＣＤパネルの表示部８４が設けられ、表示部８４の下方及び右方にボタン類が配置されている。ボタン類としては、ＲＥＳＥＴ／▲ボタン８５、ＳＥＴボタン８６、ＭＯＤＥボタン８７、ＩＮＰＵＴボタン８８、電源ＯＮボタン８９が設けられている。また、歩数計部８２の底面の左右両端部には、ＳＵＳ等の導電体からなる接点部９０，９１が設けられている。ＭＯＤＥボタン８７によって時計→歩数→距離→カロリーの各表示を切り替える。ＳＥＴボタン８６によって時計・歩幅・体重の各項目を設定する。また、ＲＥＳＥＴ▲ボタン８５によって表示を「０」に戻しあるいは、時刻・歩幅・体重の数値の変更を行う。ＩＮＰＵＴボタン８８は積極的に歩行を行った場合に押して計測された歩数を記憶しておき、その後の日常生活における歩行については敢えて記憶しないようにしたり、ＭＯＤＥボタン８７によって「歩行」か「走行」かを選択し、その上でカウントした分だけ記憶させることにより、「歩行」と「走行」の歩数を別々に積算したりすることができる。上記の各ボタンを用いて歩幅や体重を設定しておき、歩行やジョギングを行うことにより歩数をカウントするとともに距離や消費カロリーをも算出表示することができる。
【００４８】
図１６に示すように体脂肪計部８３は２つの略円柱形状のグリップ部（保持部）１０１，１０２の間に板状の本体部１０３を配置した構造となっている。本体部１０３は、歩数計部８２の形状に対応する形状にえぐられた凹部からなる装着部１０４を備える。装着部１０４の前面側１０４ａは、歩数計部８２の表示部８４が前面側から視認できかつボタン類が操作できるように露出させ、装着された歩数計部８２の前面の左右両縁及び下縁部分のみを保持するように上方に開口するコの字形状をなす。装着部１０４の背面側１０４ｂは、歩数計部８２の背面を支持する板形状をなし、歩数計部を容易に取り出せるように中央上端部がＵ字状に切り欠かれている。装着部１０４の底面には、歩数計８２底面の接点部９０，９１に対応する位置にＳＵＳＵ等の導電体からなる２つの接点部１０５，１０６が設けられている。また、本体部１０３の前面の下方には、電源ボタン１０７、設定ボタン１０８、加算ボタン１０８、減算ボタン１０９、測定開始ボタン１１０が配置されている。グリップ部１０１，１０２の周面にはＳＵＳ等の導電体からなる電流印加用電極１１１，１１２及び電圧測定用電極１１３，１１４が軸方向に分割されて配置されている。また、左側のグリップ部１０１の上面には測定開始ボタン１１５が、右側のグリップ１０２部の上面には、姿勢登録ボタン１１６が配置されている。ここでは、インピーダンス測定用電極は、電流印加用電極１１１，１１２及び電圧測定用電極１１３，１１４から構成される。また、身体特定化情報入力手段は、設定ボタン１０８、加算ボタン１０８、減算ボタン１０９から構成される。
【００４９】
図１７に示されているように歩数計部８２を表示部８４側を前面にして体脂肪計部８３の装着部１０４の凹部に上方から挿入して装着する。
図１８は歩数計部８２及び体脂肪計部８３の内部構造の概略を示すブロック図である。
【００５０】
歩数計部８２は、測定，演算及び制御を行うＣＰＵ１２０に対してプログラムやデータ等を記憶するメモリ１２１，操作情報を入力する入力部１２２，センサ１２３からの情報に基づいて歩数をカウントする歩数カウンタ１２４，ＣＰＵ１２０の指令に基づいて表示器１２５を駆動する表示器ドライバ１２６，体脂肪計部８３との間を接続して情報の送受信を行う接点部９０，９１が接続された構成をなす。図１９（ａ）は歩数計部８２の一部を破断してセンサ１２３の配置状態を示した正面図であり、図１９（ｂ）は同断面図である。図１９（ａ），（ｂ）に示すようにセンサ１２３は基板１２７に平行に配置されている。センサ１２３は、被検者の歩行によって生じる加速度変化を検出する加速度センサであり、検出された加速度変化を歩数情報に変換している。センサ１２３は図５に示すものと同様の構成を有し、図１９（ａ）上の矢印は可動電極の移動方向を示す。
【００５１】
体脂肪計部８３の構成は、センサを有しない点と歩数計部８２との情報の送受信を行う接点部１０５，１０６を有する点を除いて第１の実施形態と同様の構成を有するので、同様の符号を用いて詳細な説明は省略する。ここで、ＣＰＵ１２０又は測定・演算制御装置２０が傾斜角度算出手段を構成する。
【００５２】
歩数計部８２は単体では歩数計として利用でき、体脂肪計部８３に装着することにより体脂肪計として利用することができる。また、歩数計部８２と体脂肪計部８３との間でデータの送受信を行うことができる。歩数計部８２を体脂肪計部８３に装着し、体脂肪計として使用する場合には、測定姿勢を調整するためにセンサとして歩数計部８２のセンサ１２３を利用することができる。このようなセンサ１２３を第１の実施形態における体脂肪計と同様に利用することにより、測定時の被検者の姿勢を安定化させ、測定精度を向上させることができる。
【００５３】
図２０（ａ），（ｂ）に姿勢調整時の体脂肪計８１を示す。姿勢調整の手順は第１の実施形態と同様であるが、本実施形態では歩数計部の表示部８４に調整のための表示が行われる。
【００５４】
図２１は、歩数計部８２の情報を体脂肪計部８３に入力する場合の手順を示すフローチャートである。
まず、体脂肪計部から歩数計部を取り外すのを待機する（ステップ３１）。
【００５５】
歩数計部を体脂肪計部から取り外したところで歩数計の電源を自動的にＯＮにする（ステップ３２）。
次に、歩数の計数を開始する（ステップ３３）。歩数計部を体脂肪計部から取り外したときから歩数の計数を開始するようにしてもよいし、被検者が身体に装着するまでの時間を考慮して取り外してから一定時間経過後に歩数の計数を開始するようにしてもよい。
【００５６】
歩数の計数が終了するのを待って（ステップ３４）、歩数計部を体脂肪計部に装着する（ステップ３５）。
次に、体脂肪計部側のメモリエリアから対応する個人データを呼び出し（ステップ３６）、表示部に表示する（ステップ３７）。
【００５７】
ここで、本人か否かを確認し（ステップ３８）、本人でなければ個人データを再度入力する（ステップ３９）。
ステップ９で、本人であれば、「設定ボタン」の押下によって（ステップ４０）、歩数データが歩数計部側から体脂肪計部側のメモリエリアに転送される（ステップ４１）。
【００５８】
次に、体脂肪測定を行うか否かを判定する（ステップ４２）。体脂肪測定を行う場合には、図７のステップ７〜１０に示す体脂肪測定処理を行い（ステップ４３）、電源をＯＦＦして（ステップ４４）、処理を終了する。体脂肪測定を行わない場合にはステップ４４に進む。
【００５９】
このように、歩数計部によって計数された歩数を体脂肪計に取り込むことによって消費カロリー等の情報を体脂肪率等の情報とともに蓄積し、継続的な健康管理に利用することができる。また、体脂肪率等から必要な運動量あるいは消費カロリーあるいは当該カロリーを消費するために必要な歩数を算出して、歩数計部に送信し、目標値の設定に利用することもできる。また、体脂肪率等の情報を歩数計部に転送してメモリに記憶させ、持ち歩く際に表示できるようにしておけば、常に体脂肪について意識し、ダイエット継続のきっかけとして利用することができる。
【００６０】
体脂肪率等を測定する際に、算出に必要な身長，体重，年齢，性別等の身体特定化情報を入力するが、入力されたこれらのデータを歩数計部のメモリに記憶させておくようにしてもよい。歩数計部を個人がそれぞれ持ち歩き、複数の歩数計部を１台の体脂肪計部に装着して使用する場合に、個人データを歩数計部に保持しておくことにより、他人に見られることがなく、プライバシーを確保することができる。
【００６１】
図１９には明示していないが、体脂肪計部に装着されている時には歩数計部の電源を自動的にオフとし、あるいは体脂肪計部側の電源から充電できるようにしてもよい。
【００６２】
また、本実施形態では、体脂肪計側にもＣＰＵ等を含む測定・演算制御部が設けられているが、歩数計部側にのみＣＰＵを設け、測定・演算制御を歩数計部側のＣＰＵで処理するようにしてもよい。
【００６３】
【発明の効果】
以上説明したように、本発明によれば、健康管理指針アドバイス装置による測定時の姿勢を安定させることができるので、体脂肪率等の健康管理指針情報の測定精度を向上させることができる。
【図面の簡単な説明】
【図１】図１は本発明の第１の実施形態に係る体脂肪計の全体構成を示す外観図である。
【図２】図２は、本発明の第１の実施形態に係る体脂肪計の内部構成の概略を示すブロック図である。
【図３】図３（ａ）は本発明の第１の実施形態に係る体脂肪計の縦断面図、図３（ｂ）は同一部破断背面図、図３（ｃ）は同横断面図である。
【図４】図４（ａ）は本発明の第１の実施形態に係る体脂肪計の縦断面図、図４（ｂ）は同一部破断背面図、図４（ｃ）は同横断面図である。
【図５】図５はセンサの概略構成を模式的に示す図である。
【図６】図６（ａ）及び（ｂ）はセンサに左方向加速度及び右方向加速度が加わった状態を示す図である。
【図７】図７は予め姿勢調整のための角度が設定されている場合の体脂肪計による測定手順を示すフローチャートである。
【図８】図８は被検者が自ら姿勢調整のための角度を設定する場合の測定手順を示すフローチャートである。
【図９】図９は体脂肪計の表示部の姿勢調整状態における表示を示す図である。
【図１０】図１０は体脂肪計の表示部の姿勢調整状態における表示を示す図である。
【図１１】図１１は本発明の第２の実施形態にかかる体脂肪計の全体構成を示す斜視図である。
【図１２】図１２は被検者が体脂肪計を使用する状態を示す図である。
【図１３】図１３（ａ）はグリップ部の側面図、図１３（ｂ）はグリップ部の軸方向断面図である。
【図１４】図１４は本発明の第３の実施形態に係る歩数計付き体脂肪計の全体構成を示す正面図である。
【図１５】図１５（ａ）は歩数計部の全体構成を示す正面図、図１５（ｂ）は同側面図である。
【図１６】図１６（ａ）は体脂肪計部の全体構成を示す正面図、図１６（ｂ）は同平面図である。
【図１７】図１７は歩数計部を体脂肪計部に装着する方法を説明する図である。
【図１８】図１８は歩数計部及び体脂肪計部の内部構造の概略を示すブロック図である。
【図１９】図１９（ａ）は歩数計部の一部を破断してセンサの配置状態を示した正面図であり、図１９（ｂ）は同断面図である。
【図２０】図２０（ａ），（ｂ）は姿勢調整時の体脂肪計を示す図である。
【図２１】図２１は歩数計部の情報を体脂肪計部に入力する場合の手順を示すフローチャートである。
【図２２】図２２は従来の体脂肪計の使用時の姿勢を示す図である。
【図２３】図２３は従来の体脂肪計のグリップ部の握り方の例を示す図である。
【図２４】図２４は従来の体脂肪計のグリップ部の握り方の例を示す図である。
【符号の説明】
１，６１，８１  体脂肪計
２，３，６２  グリップ部
４，５，６５，１１１，１１２  電流印加用電極
６，７，６６，１１３，１１４  電圧測定用電極
１７，１１６  姿勢登録ボタン
３２，１２３  センサ
【図１】
0003772617.tif 000002
【図２】
0003772617.tif 000003
【図３】
0003772617.tif 000004
【図４】
0003772617.tif 000005
【図５】
0003772617.tif 000006
【図６】
0003772617.tif 000007
【図７】
0003772617.tif 000008
【図８】
0003772617.tif 000009
【図９】
0003772617.tif 000010
【図１０】
0003772617.tif 000011
【図１１】
0003772617.tif 000012
【図１２】
0003772617.tif 000013
【図１３】
0003772617.tif 000014
【図１４】
0003772617.tif 000015
【図１５】
0003772617.tif 000016
【図１６】
0003772617.tif 000017
【図１７】
0003772617.tif 000018
【図１８】
0003772617.tif 000019
【図１９】
0003772617.tif 000020
【図２０】
0003772617.tif 000021
【図２１】
0003772617.tif 000022
【図２２】
0003772617.tif 000023
【図２３】
0003772617.tif 000024
【図２４】
0003772617.tif 000025